(57)【要約】【課題】表示板が外れにくい容器を提供すること。さらに好ましくは，表示板を装着している状態でもハンドリング性が損なわれない容器を提供すること。【解決手段】箱体部１１を有する容器本体４には，上端から下向きかつ外側向きに外壁部１３が設けられている。外壁部１３には，下側の第１窓部と上側の第２窓部とが形成されており，第１窓部の下辺５６および第２窓部の上辺５４に，表示板４９を係止する係止形状部が形成されており，外壁部１３における第１窓部と第２窓部との間の部位が，表示板４９の中腹部分の内向きの陥没を防止する下桟部２１となっている。容器本体４の上部に上枠体６を取り付けることができ，上枠体６には第３窓部が形成されている。第２窓部の下辺５５および第３窓部の上辺５７にも係止形状部が形成されており，容器本体４と上枠体６との取付形状部は，第２窓部と第３窓部とにより取り付けた表示板４９の中腹部分の裏面側に位置する。【選択図】図８
2020029284.tif 000002
【特許請求の範囲】
【請求項１】
上端が開口した箱体部を有する容器本体を有し，前記容器本体に長尺状の収容物を立てた状態で収容する容器であって，
前記容器本体には，上端から下向きかつ前記箱体部の外側向きに延びて形成された外壁部が設けられており，
前記外壁部には，下端側の第１窓部と，上端側の第２窓部と，が形成されており，
前記第１窓部の下辺および前記第２窓部の上辺に，パネル部材を係止するパネル係止形状部が形成されており，
前記外壁部における前記第１窓部と前記第２窓部との間の部位が，前記第１窓部の下辺および前記第２窓部の上辺のパネル係止形状部に係止されるパネル部材の中腹部分の内向きの陥没を防止する横方向の本体桟部となっていることを特徴とする容器。
【請求項２】
請求項１に記載の容器であって，
前記容器本体の上部に脱着可能に取り付けられる上下両端が開口した上枠体を有し，
前記上枠体には，下端側の第３窓部が形成されており，
前記第２窓部の下辺および前記第３窓部の上辺に，パネル部材を係止するパネル係止形状部が形成されており，
前記容器本体の上端部および前記上枠体の下端部に，互いの取り付けを行う取付形状部が形成されており，
前記取付形状部は，前記容器本体の上部に前記上枠体を取り付けて前記第２窓部の下辺および前記第３窓部の上辺のパネル係止形状部にパネル部材を係止したときに，そのパネル部材の中腹部分の裏面側に位置するものであることを特徴とする容器。
【請求項３】
請求項２に記載の容器であって，
前記上枠体には，上端側の第４窓部が形成されており，
前記第４窓部の上辺に沿って，外向きに延びて形成された持ち手リブが設けられていることを特徴とする容器。
【発明の詳細な説明】
【技術分野】
【０００１】
本発明は，長尺状の収容物を立てた状態で収容する用途に用いて好適な容器に関する。さらに詳細には，上部に上枠体を取り付けることができる容器本体により構成される容器に関するものである。
【背景技術】
【０００２】
従来から，花卉（かき）や傘などの長尺物の収容には，その用途に特化した容器が用いられることがある。特許文献１にその一例が記載されている。同文献の図２に描かれている容器（３０）は，下側の容器本体（４０）とその上の上枠体（５０）とにより構成されている。これにより前述のような長尺物を，立てた状態で収容できるようになっている。そして同文献には，容器（３０）に表示板を取り付けることも記載されている。同文献の図６では上枠体（５０）に，図８では容器本体（４０）に，それぞれ表示板（１０）が取り付けられている。表示板（１０）には商品表示等が記載されている。
【先行技術文献】
【特許文献】
【０００３】
【特許文献１】特開2002-258746号公報
【発明の概要】
【発明が解決しようとする課題】
【０００４】
しかしながら前記した従来の長尺物用の容器には，次のような問題点があった。表示板（１０）が内側に陥没しやすいのである。表示板（１０）が，容器本体（４０）の開口部（４４ａ）または上枠体（５０）の開口部（５２ａ）を塞いで取り付けられているからである。つまり，表示板（１０）の背後が何も支えられていないのである。このため，表示板（１０）が外から押されると容易に陥没してしまう。これにより，表示内容が見にくくなったり，あるいは表示板（１０）が脱落することがあった。また，上枠体（５０）に表示板（１０）を取り付けると，容器（３０）を手で持つための箇所が１箇所減ってしまうという問題もあった。
【０００５】
本発明は，前記した従来の技術が有する問題点を解決するためになされたものである。すなわちその課題とするところは，表示板が外れにくい容器を提供することにある。さらに好ましくは，表示板を装着している状態でもハンドリング性が損なわれない容器を提供することをも目的とする。
【課題を解決するための手段】
【０００６】
本発明の一態様における容器は，上端が開口した箱体部を有する容器本体を有し，容器本体に長尺状の収容物を立てた状態で収容する容器であって，容器本体には，上端から下向きかつ箱体部の外側向きに延びて形成された外壁部が設けられており，外壁部には，下端側の第１窓部と，上端側の第２窓部と，が形成されており，第１窓部の下辺および第２窓部の上辺に，パネル部材を係止するパネル係止形状部が形成されており，外壁部における第１窓部と第２窓部との間の部位が，第１窓部の下辺および第２窓部の上辺のパネル係止形状部に係止されるパネル部材の中腹部分の内向きの陥没を防止する横方向の本体桟部となっているものである。
【０００７】
上記態様における容器では，外壁部における第１窓部と第２窓部とを利用して，パネル部材を取り付けることができる。パネル部材は，収容物についての種々の情報を表示するために用いることができるものである。すなわち，下側の第１窓部の下辺および上側の第２窓部の上辺がパネル係止形状部となっているので，これらに係止することでパネル部材を取り付けることができる。このようにしてパネル部材を取り付けると，取り付けられたパネル部材の中腹部の裏には，容器本体の一部である本体桟部が存在する。このため，パネル部材が外から押し付けられるようなことがあっても，パネル部材が陥没して外れてしまうことがない。
【０００８】
上記態様の容器ではさらに，容器本体の上部に脱着可能に取り付けられる上下両端が開口した上枠体を有し，上枠体には，下端側の第３窓部が形成されており，第２窓部の下辺および第３窓部の上辺に，パネル部材を係止するパネル係止形状部が形成されており，容器本体の上端部および上枠体の下端部に，互いの取り付けを行う取付形状部が形成されており，取付形状部は，容器本体の上部に上枠体を取り付けて第２窓部の下辺および第３窓部の上辺のパネル係止形状部にパネル部材を係止したときに，そのパネル部材の中腹部分の裏面側に位置するものであることが望ましい。
【０００９】
このようになっていると，パネル部材の取り付け方として前述の下付けの他に，容器本体と上枠体とに跨って取り付ける上付けも可能である。すなわち，容器本体の第２窓部の下辺および上枠体の第３窓部の上辺がパネル係止形状部となっているので，これらを利用して取り付けるのが上付けである。上付けしたパネル部材の裏側には，容器本体と上枠体との取付形状部が位置することとなる。このため，上付けしたパネル部材も，陥没により外れることはない。
【００１０】
上枠体を有する態様の容器では，上枠体には，上端側の第４窓部が形成されており，第４窓部の上辺に沿って，外向きに延びて形成された持ち手リブが設けられていることが望ましい。このようになっていると，持ち手リブを掴むことで，上枠体およびその下に取り付けられている容器本体を持ち上げて運ぶことができる。ここで，パネル部材が上付けされていても，持ち手リブの下の第４窓部は塞がれない。このため，持ち手リブによるハンドリング性は損なわれない。
【発明の効果】
【００１１】
本構成によれば，表示板が外れにくい容器が提供されている。さらには，表示板を装着している状態でもハンドリング性が損なわれない容器も提供されている。
【図面の簡単な説明】
【００１２】
【図１】実施の形態に係る容器の全体形状を示す斜視図である。
【図２】実施の形態に係る容器における容器本体を示す斜視図である。
【図３】実施の形態に係る容器における上枠体を示す斜視図である。
【図４】実施の形態に係る容器に取り付けられる表示板を示す正面図である。
【図５】実施の形態に係る容器に表示板を取り付けた状況を示す斜視図である。
【図６】実施の形態に係る容器における容器本体の正面図である。
【図７】実施の形態に係る容器における上枠体の正面図である。
【図８】図５に示した状態の容器を一部切断して示す斜視図である。
【発明を実施するための形態】
【００１３】
以下，本発明を具体化した実施の形態について，添付図面を参照しつつ詳細に説明する。本形態は，図１に示す容器６０として本発明を具体化したものである。図１の容器６０は，容器本体４と，その上の上枠体６とにより構成されている。上枠体６は，容器本体４の上部に対して脱着可能である。容器６０は，容器本体４と上枠体６とを合わせた全体として縦長の箱状をなしており，長尺物を立てて収容するのに適したものである。なお，容器６０を上方から見ると，コーナー部が丸められた正方形状である。容器本体４と上枠体６とはいずれも，合成樹脂製である。
【００１４】
図２に，容器本体４の単体を示す。容器本体４は，箱体部１１を有している。箱体部１１は，上端が開口した箱状の部分であり，下方がやや狭く上方がやや広い斜面体形状とされている。容器本体４はさらに，外壁部１３を有している。外壁部１３は，箱体部１１の外側に位置し，箱体部１１の斜面体形状とは逆に，上方が狭く下方が広い逆斜面体形状とされている。容器本体４の接地箇所は外壁部１３の底部１４であり，箱体部１１の底部１５は地面からやや浮いている。
【００１５】
容器本体４における箱体部１１と外壁部１３とは，上端部で互いに繋がっており一体となっている。その上端部には，箱体部１１の開口部１６を囲む上向きの平坦面である本体フランジ面１７が形成されている。外壁部１３にはさらに，底部１４寄りの下窓１８と，本体フランジ面１７寄りの上窓１９とが形成されている。外壁部１３のうち下窓１８と上窓１９との間の横方向の部分が，下桟部２１である。また，外壁部１３のうち上窓１９と本体フランジ面１７との間の横方向の部分が，垂れ部２２である。垂れ部２２の一部が，他の部分より凹んだ凹部２４となっている。凹部２４を含めた垂れ部２２は，容器本体４の上端から箱体部１１の外側かつ下方向きに形成されている。
【００１６】
図３に，上枠体６の単体を示す。上枠体６は，上下両端がいずれも開口した角筒状の部材である。上枠体６は，下方が狭く上方が広い斜面体形状とされている点で箱体部１１の形状と共通する。上枠体６の上端には，四隅に位置し表（おもて）面が平坦なトップ当接面部２５が設けられている。トップ当接面部２５は，上枠体６の上端の開口部２６の外側に位置する。上枠体６の下端付近には，開口部２７を囲んでフランジ部２８が形成されている。
【００１７】
上枠体６にはまた，フランジ部２８寄りの下窓２９と，トップ当接面部２５寄りの上窓３１とが形成されている。上枠体６はさらに，フランジ部２８と下窓２９との間の横方向の壁部分である下壁部３２と，下窓２９と上窓３１との間の横方向の壁部分である中壁部３３と，上窓３１とトップ当接面部２５との間の横方向の壁部分である上壁部３４と，を有している。このうちの下壁部３２は，フランジ部２８の外側の縁から上向きに形成されている。さらに，下壁部３２の一部分から下方に向かって，係止部３５が形成されている。上枠体６にはまた，持ち手リブ４７が設けられている。持ち手リブ４７は，上窓３１の上辺に沿って，そこから外向きに延びて形成されている部位である。
【００１８】
上記の容器６０では，容器本体４に上枠体６を取り付けた図１の状態にて，長尺状の収容物を立てた状態で収容することができる。収容できる長尺状の収容物の例としては，花卉や雨傘等を挙げることができる。なお，容器本体４のみの状態であっても，さほど長くない収容物なら収容可能である。図１の状態では，容器本体４の凹部２４に上枠体６の係止部３５が引っ掛かることで，容器本体４に上枠体６が固定されている。
【００１９】
上記のように構成されている本形態の容器６０には，図４に示す表示板４９を取り付けることができる。表示板４９は，容器６０の収容物についての種々の情報を表示するためのパネル状の部材である。筆記具を用いて手で情報を記載するものでもよいし，発光デバイスや発色デバイスを搭載してその機能により情報を表示するものでもよい。表示板４９に表示する収容物についての情報とは，例えば収容物が花卉である場合には，品名，品種名，花色，産地，育成者名等である。
【００２０】
図４の表示板４９は，略長方形で上下に張り出し部５１，５３が設けられている形状のものである。図１の容器６０に表示板４９を取り付けた状態を図５に示す。図５に示されるように，容器６０への表示板４９を取り付け方は２通りある。１つは容器本体４の範囲内の比較的低い位置に取り付ける方法（図５中右側，以下「下付け」という）であり，もう１つは容器本体４と上枠体６とに跨るやや高い位置に取り付ける方法（図５中左側，以下「上付け」という）である。容器６０における表示板４９を取り付けるための構造について，図６，図７により説明する。
【００２１】
図６は，容器本体４の正面図である。実際にはこの視線では下窓１８，上窓１９の中に箱体部１１が見えるはずであるが，図６では箱体部１１を省略して示している。図６の容器本体４において表示板４９の取り付けに関わる部位は，上窓１９の上辺５４と，上窓１９の下辺５５と，下窓１８の下辺５６との３箇所である。図７は，上枠体６の正面図である。図７の上枠体６において表示板４９の取り付けに関わる部位は，下窓２９の上辺５７である。このうち，容器本体４における上窓１９の上辺５４と下窓１８の下辺５６とが，下付けのための部位である。上枠体６の下窓２９の上辺５７および容器本体４の上窓１９の下辺５５は，上付けのための部位である。
【００２２】
これらの表示板４９の取り付けのための部位についてさらに説明する。容器本体４の上窓１９の下辺５５の両端の位置には，肩部５８が形成されている。容器本体４の下窓１８の下辺５６の両端やや内寄りの位置にも，肩部５９が形成されている。上枠体６の下窓２９の上辺５７の両端やや内寄りの位置にも，肩部６１が形成されている。
【００２３】
ここで容器本体４においては，上窓１９の上辺５４の幅と，下窓１８の下辺５６の肩部５９と肩部５９との間隔は同じである。これをＷ１とする。また，下窓１８の下辺５６から上窓１９の上辺５４までの高さをＨ１とする。これより，容器本体４に下付けで取り付ける表示板４９は，次のようなサイズのものであることが望ましい。
・全幅Ｗ２は，Ｗ１より大きい。
・張り出し部５１，５３の幅Ｗ３は同じで，Ｗ１より小さい。
・張り出し部５１，５３を除いた部分の高さＨ２は，Ｈ１とほぼ同じくらい。
【００２４】
また，上枠体６の下窓２９の上辺５７の肩部６１との肩部６１との間隔，および，容器本体４の上窓１９の下辺５５の肩部５８と肩部５８との間隔も同じである。そしてこの間隔は上記と同じくＷ１である。また，図１のように容器本体４の上に上枠体６を取り付けた状態における，容器本体４の上窓１９の下辺５５から上枠体６の下窓２９の上辺５７までの高さも，上記と同じくＨ１である。これより，図１の使用状態の容器６０に上付けで取り付ける表示板４９も，上記と同じサイズのものであることが望ましい。つまり本形態の容器６０では，上付け用でも下付け用でも同じサイズの表示板４９を使用できる。また，上付け用と下付け用とのいずれの場合でも，表示板４９自体の上下の向きは不問である。
【００２５】
図８に，容器６０に図５のように表示板４９を取り付けている状態を一部切断した状態を示す。図８中の左側の上付けされている表示板４９の上端では，張り出し部５１が，上枠体６の下窓２９の上辺５７の肩部６１との肩部６１との間を通って上枠体６の内側に入り込んでいる。また下端では，張り出し部５３が，容器本体４の上窓１９の下辺５５の肩部５８と肩部５８との間を通って容器本体４（外壁部１３）の内側に入り込んでいる。
【００２６】
一方，図８中の右側の下付けされている表示板４９の上端では，張り出し部５１が，容器本体４上窓１９の上辺５４から容器本体４の内側に入り込んでいる。また下端では，張り出し部５３が，容器本体４の下窓１８の下辺５６の肩部５９と肩部５９との間を通って容器本体４の内側に入り込んでいる。各表示板４９はこのような状態で容器６０に取り付けられている。このように各表示板４９の上下端が外向きに突出していない。このため，ユーザーが不用意に表示板４９の張り出し部５１，５３に指等を引っ掛けることで表示板４９が外れてしまうようなことはない。
【００２７】
ここで，図８中で上付けされている表示板４９の中腹部分のすぐ内側は，空洞ではなく，容器本体４と上枠体６との取り付けに関わる部位が存在している。すなわち前述の，上枠体６における下壁部３２，係止部３５や，容器本体４における垂れ部２２，凹部２４である。また，下付けされている表示板４９の中腹部分のすぐ内側も空洞ではない。そこには容器本体４（外壁部１３）の下桟部２１が存在している。このため，上付けされている表示板４９，下付けされている表示板４９のいずれも，中腹部分を外側から内向きに押し付けられても，陥没してしまうことがない。したがって，表示板４９が内向きに陥没することにより外れてしまうこともない。
【００２８】
また，本形態の容器６０では，上枠体６の持ち手リブ４７を手で掴むことができる。これにより，図１に示される容器６０の全体を持ち上げ，移動させることができる。持ち手リブ４７は４箇所あり，どの持ち手リブ４７を掴んでもよいし，一度に２箇所（あるいはそれ以上）の持ち手リブ４７を掴んでもよい。そして，図５（および図８）のように上付けされている表示板４９が存在する場合でも，持ち手リブ４７によるハンドリング性は全く阻害されない。上付けされている表示板４９の上端は上枠体６の下窓２９の上辺５７に保持されており，上枠体６の上窓３１は塞がれないからである。このため，図５の状態であっても，４箇所ある持ち手リブ４７のどれでも掴むことができる。容器６０に４枚の表示板４９を上付けしている場合でも同様である。
【００２９】
以上詳細に説明したように本実施の形態によれば，下方の容器本体４の範囲内で表示板４９の下付けを行い，容器本体４とその上の上枠体６とに跨って表示板４９の上付けを行うようにしている。そして，下付けおよび上付けのいずれの取り付け方の表示板４９に対しても，その中腹部の裏側に容器６０の部材が存在するようにしている。これにより，表示板４９の陥没による脱落を防止した容器６０が実現されている。また，表示板４９を上付けした場合でも，上枠体６の上窓３１が塞がれないようにしている。これにより，表示板４９を上付けした場合でも，持ち手リブ４７によるハンドリング性が損なわれることのない容器６０が実現されている。
【００３０】
なお，本実施の形態は単なる例示にすぎず，本発明を何ら限定するものではない。したがって本発明は当然に，その要旨を逸脱しない範囲内で種々の改良，変形が可能である。例えば，前記形態では，表示板４９の好ましいサイズの条件を示したが，それは絶対的なものではない。好ましいサイズの条件から外れているような表示板であっても，本形態の容器６０への取り付けはある程度可能である。
【００３１】
前記形態ではまた，下付け用と上付け用とで同一のサイズの表示板４９を用いることを前提としている。しかしこれも必須ではない。下付け用と上付け用とで異なるサイズの表示板４９を用いることを前提として各部の寸法を決定したものであってもよい。また，表示板４９の取り付け時の上下の向きに関しても同様である。前記形態では不問としたが，決まった向きに取り付けることを前提として各部の寸法を決定したものであってもよい。また，表示板４９の下付けでの取り付けのみを考慮するならば，上枠体６を有しない単独の容器本体４であっても本発明として成立する。
【符号の説明】
【００３２】
４    容器本体
６    上枠体
１１  箱体部
１３  外壁部
１６  開口部
１８  下窓
１９  上窓
２１  下桟部（本体桟部）
２６  開口部
２７  開口部
２９  下窓
３２  下壁部
４７  持ち手リブ
５４  上窓の上辺（パネル係止形状部）
５５  上窓の下辺（パネル係止形状部）
５６  下窓の下辺（パネル係止形状部）
５７  下窓の上辺（パネル係止形状部）
５８  肩部（パネル係止形状部）
５９  肩部（パネル係止形状部）
６０  容器
６１  肩部（パネル係止形状部）
【図１】
2020029284.tif 000003
【図２】
2020029284.tif 000004
【図３】
2020029284.tif 000005
【図４】
2020029284.tif 000006
【図５】
2020029284.tif 000007
【図６】
2020029284.tif 000008
【図７】
2020029284.tif 000009
【図８】
2020029284.tif 000010